(57)【特許請求の範囲】
【請求項１】
地域又は集合住宅を電力供給対象として、発電機が設けられ、
その発電機からの排熱が供給される排熱回収用熱交換器と、貯湯槽と、その貯湯槽に給水する槽用給水手段と、前記排熱回収用熱交換器と前記貯湯槽とにわたって湯水を循環させる排熱回収用循環手段と、前記貯湯槽と前記地域又は集合住宅に含まれる複数の住戸とにわたる給湯用循環経路にて湯水を循環させる給湯用循環手段が設けられ、
前記住戸毎に、前記給湯用循環手段を通じて供給される湯水を加熱して湯水需要部に供給する給湯器が設けられたコージェネレーションシステムであって、
給水源からの水を前記給湯用循環経路に供給する循環用給水手段が設けられ、
前記給湯用循環手段は、前記貯湯槽の湯水を前記給湯用循環経路にて循環させる通常循環状態と、前記貯湯槽の湯水の循環を停止させて前記循環用給水手段にて前記給湯用循環経路に給水する給水状態とに切り換え自在に構成されているコージェネレーションシステム。
【請求項２】
前記貯湯槽の湯水の温度が設定温度よりも高くなると、前記給湯用循環手段を前記通常循環状態に切り換え、前記貯湯槽の湯水の温度が前記設定温度以下になると、前記給湯用循環手段を前記給水状態に切り換える切換制御手段が設けられている請求項１記載のコージェネレーションシステム。
【請求項３】
前記切換制御手段は、前記給水状態においては、前記排熱回収用循環手段を湯水循環作動させるように構成されている請求項２記載のコージェネレーションシステム。
【請求項４】
前記給湯用循環手段に、前記貯湯槽を迂回させて前記給湯用循環経路にて湯水を循環させるための貯湯槽迂回路が設けられ、
前記給湯用循環手段は、前記給水状態においては、前記貯湯槽迂回路を通して前記給湯用循環経路にて湯水を循環させるように構成されている請求項１〜３のいずれか１項に記載のコージェネレーションシステム。
【発明の詳細な説明】
【０００１】
【発明の属する技術分野】
本発明は、地域又は集合住宅を電力供給対象として、発電機が設けられ、
その発電機からの排熱が供給される排熱回収用熱交換器と、貯湯槽と、その貯湯槽に給水する槽用給水手段と、前記排熱回収用熱交換器と前記貯湯槽とにわたって湯水を循環させる排熱回収用循環手段と、前記貯湯槽と前記地域又は集合住宅に含まれる複数の住戸とにわたる給湯用循環経路にて湯水を循環させる給湯用循環手段が設けられ、
前記住戸毎に、前記給湯用循環手段を通じて供給される湯水を加熱して湯水需要部に供給する給湯器が設けられたコージェネレーションシステムに関する。
【０００２】
【従来の技術】
かかるコージェネレーションシステムは、地域又は集合住宅に含まれる複数の住戸（以下、供給対象住戸群と称する場合がある）に、発電機にて電力を供給し、並びに、排熱回収用循環手段により、発電機の排熱が供給される排熱回収用熱交換器と貯湯槽とにわたって湯水を循環させて貯湯槽の湯水を加熱し、給湯用循環手段にて、貯湯槽と供給対象住戸群とにわたる給湯用循環経路にて湯水を循環させることにより、発電機の排熱を回収して加熱した湯水を供給対象住戸群に供給し、各住戸においては、給湯用循環手段にて供給される湯水を給湯器にて加熱して給湯栓等の湯水需要部に供給するように構成したものである。
【０００３】
かかるコージェネレーションシステムにおいて、従来は、図８に示すように、貯湯槽の湯水の温度にかかわらず、給湯用循環手段Ｃｓにより、貯湯槽３と供給対象住戸群とにわたる給湯用循環経路１４にて湯水を循環させていた（特開平７−３２４８０９）。
図８に示すように、槽用給水手段Ｗｂは、給水源としての水道からの水を貯湯槽３の底部に供給する給水路７１にて構成し、給湯用循環手段Ｃｓは、給湯用循環経路１４、その給湯用循環経路１４に設けた給湯用循環ポンプ７３にて構成し、排熱回収用循環手段Ｃｅは、貯湯槽３と排熱回収用熱交換器２とにわたる循環経路を形成する排熱回収用循環経路７４と、その排熱回収用流路７４に設けた排熱回収用循環ポンプ７５にて構成していた。図８中において、Ｋは、給湯用循環手段Ｃｓにて供給される湯水を加熱して給湯栓等の湯水需要部に供給すべく、各住戸に設けられた給湯器である。
【０００４】
【発明が解決しようとする課題】
従来では、給湯用循環手段は、給湯用循環経路を通じて湯水を循環させる状態と、給湯用循環経路を通じての湯水の循環を停止させる状態とに単純に切り換えるように構成していたので、以下に説明するような問題があった。
【０００５】
即ち、貯湯槽に貯留される湯水の温度は、例えば、供給対象住戸群における湯水使用量の変動等に伴って変動し、供給対象住戸群での湯水使用量が多くなると、貯湯槽に貯留される湯水の温度は低下する傾向となる。
そして、低温（例えば、４０℃以上、５０℃未満の範囲）の湯は、滞留すると水質を維持し難くなる。
従来では、貯湯槽の湯水の温度にかかわらず、貯湯槽の湯水を給湯用循環経路を通じて循環させているので、貯湯槽に貯留されている湯の温度が低下して水質を維持し難いような温度になっても、貯湯槽の湯を給湯用循環経路を通じて循環させているので、給湯用循環経路を循環する湯の水質をある程度は維持することができるのであるが、更に水質を維持するようにすることが好ましい。
【０００６】
又、貯湯槽の点検を行うときにも、供給対象住戸群に湯水を供給する必要があり、その場合は、給湯用循環経路を通じて湯水を供給することが構成の簡略化を図る上で好ましいのであるが、従来では、貯湯槽の点検を行うときは、給湯用循環経路を通じての湯水の循環を停止させるので、供給対象住戸群には、給湯用循環経路とは別の経路により湯水を供給せざるを得なかった。
【０００７】
本発明は、かかる実情に鑑みてなされたものであり、その目的は、従来よりも一層水質を維持する状態で湯水を住戸に供給できると共に、貯湯槽の点検時には給湯用循環経路を通じて湯水を住戸に供給できるコージェネレーションシステムを提供することにある。
【０００８】
【課題を解決するための手段】
〔請求項１記載の発明〕
請求項１に記載の特徴構成は、給水源からの水を前記給湯用循環経路に供給する循環用給水手段が設けられ、
前記給湯用循環手段は、前記貯湯槽の湯水を前記給湯用循環経路にて循環させる通常循環状態と、前記貯湯槽の湯水の循環を停止させて前記循環用給水手段にて前記給湯用循環経路に給水する給水状態とに切り換え自在に構成されていることにある。
請求項１に記載の特徴構成によれば、給湯用循環手段は、貯湯槽の湯水を給湯用循環経路にて循環させる通常循環状態と、貯湯槽の湯水の循環を停止させて循環用給水手段にて給湯用循環経路に給水する給水状態とに切り換え自在に構成されているので、貯湯槽の湯の温度が湯の水質を維持できる温度のときは、給湯用循環手段を通常循環状態に切り換え、貯湯槽の湯の温度が水質を維持し難いような低い温度にまで下がったときや、貯湯槽の点検を行うときは、給湯用循環手段を給水状態に切り換える。
つまり、貯湯槽の湯の温度が湯の水質を維持できる温度のときは、給湯用循環手段を通常循環状態に切り換えて、通常通り、貯湯槽の湯が供給対象住戸群にわたって循環されるようにして、各住戸には水質を維持できる温度の湯が供給されるようにすることができる。
又、貯湯槽の湯の温度が水質を維持し難いような低い温度のときは、給湯用循環手段を給水状態に切り換えて、貯湯槽の湯の循環が停止されて、循環用給水手段にて、温度が低いために水質を維持し難い湯よりも温度がかなり低くて水質を維持できる水が給湯用循環経路に供給されるようにして、給湯用循環経路に水質を維持できる水が存在するようになって、各住戸には、その給湯用循環経路に存在している水が供給されるようにすることができる。
又、貯湯槽の点検を行うときは、給湯用循環手段を給水状態に切り換えて、各住戸に、給湯用循環経路に存在している水が供給されるようにすることができる。つまり、貯湯槽の点検を行うときにも、各住戸には、給湯用循環経路を通じて、水質を維持できる水を供給することができる。
各住戸では、給湯用循環経路を通じて供給される湯水を、給湯器にて適宜加熱して使用することができる。
ちなみに、給水状態において給湯用循環経路に供給する水として、水道水を供給するようにすると、水道水には塩素が含まれているので、水質を一層維持し易くなって好ましい。
従って、従来よりも一層水質を維持する状態で湯水を住戸に供給できると共に、貯湯槽の点検時には給湯用循環経路を通じて湯水を住戸に供給できるコージェネレーションシステムを提供することができるようになった。
【０００９】
〔請求項２記載の発明〕
請求項２に記載の特徴構成は、前記貯湯槽の湯水の温度が設定温度よりも高くなると、前記給湯用循環手段を前記通常循環状態に切り換え、前記貯湯槽の湯水の温度が前記設定温度以下になると、前記給湯用循環手段を前記給水状態に切り換える切換制御手段が設けられていることにある。
請求項２に記載の特徴構成によれば、切換制御手段は、貯湯槽の湯水の温度が設定温度よりも高くなると、給湯用循環手段を通常循環状態に切り換え、貯湯槽の湯水の温度が設定温度以下になると、給湯用循環手段を給水状態に切り換える。
つまり、低温の湯は滞留すると水質を維持し難くなるので、設定温度として、湯が水質を維持できるものとなる湯の温度範囲の下限値（例えば、５０°Ｃ）に設定する。
すると、貯湯槽の湯の温度が設定温度よりも高くて水質を維持できるときは、給湯用循環手段が自動的に通常循環状態に切り換えられるので、各住戸には水質を維持できる温度の湯が供給され、貯湯槽の湯の温度が設定温度以下となって貯湯槽の湯の水質を維持し難くなると、給湯用循環手段が自動的に給水状態に切り換えられるので、各住戸には、水質を維持できる水が供給されることになる。
従って、貯湯槽の湯水の温度の変動にかかわらず水質を維持する状態で湯水を住戸に供給するために、給湯用循環手段を通常循環状態と給水状態とに切り換えることが、面倒な操作を要せず、しかも確実に行われるようにすることができるようになった。
【００１０】
〔請求項３記載の発明〕
請求項３に記載の特徴構成は、前記切換制御手段は、前記給水状態においては、前記排熱回収用循環手段を湯水循環作動させるように構成されていることにある。
請求項３に記載の特徴構成によれば、切換制御手段は、給水状態においては、排熱回収用循環手段を湯水循環作動させる
つまり、給水状態の間も、貯湯槽の湯水が排熱回収用熱交換器を通して循環されて、貯湯槽の湯水の水質を維持できるので、次に通常循環状態が実行されて、再び貯湯槽の湯水が給湯用循環経路にて循環されるときには、水質が維持された湯水を循環させることができる。
又、貯湯槽の湯水が消費されない状態で、排熱回収用熱交換器にて貯湯槽の湯水が加熱されて、発電機の排熱が蓄熱されるので、貯湯槽の湯水が速く昇温される。
従って、給水状態の間も、貯湯槽の湯水が排熱回収用熱交換器を通して循環していて、貯湯槽の湯水の水質を維持できるので、一段と水質を維持する状態で湯水を住戸に供給することができ、しかも、排熱を活用できて熱効率の良い通常循環状態に速く切り換えることができ、そして、そのようなことを特別な操作を要せず、しかも確実に行われるようにすることができるようになった。
【００１１】
〔請求項４記載の発明〕
請求項４に記載の特徴構成は、前記給湯用循環手段に、前記貯湯槽を迂回させて前記給湯用循環経路にて湯水を循環させるための貯湯槽迂回路が設けられ、
前記給湯用循環手段は、前記給水状態においては、前記貯湯槽迂回路を通して前記給湯用循環経路にて湯水を循環させるように構成されていることにある。
請求項４に記載の特徴構成によれば、給水状態においては、循環用給水手段にて給湯用循環経路に供給される水が貯湯槽を迂回する状態で給湯用循環経路にて循環しているので、給湯用循環経路中の湯を循環用給水手段からの水で置き換えた状態で止めておく場合に比べて、給湯用循環経路中の水の水質を一段と維持することができる。
従って、給水状態においては、貯湯槽を迂回する状態で水が給湯用循環経路にて循環しているので、一段と水質を維持する状態で湯水を住戸に供給することができる。
【００１２】
【発明の実施の形態】
以下、図面に基づいて、本発明の実施の形態を説明する。
図１に示すように、コージェネレーションシステムは、集合住宅を電力供給対象として発電機１を設け、並びに、集合住宅を対象として、その発電機１からの排熱が供給される排熱回収用熱交換器２と、貯湯槽３と、その貯湯槽３に給水する槽用給水手段Ｗｂと、排熱回収用熱交換器２と貯湯槽３とにわたって湯水を循環させる排熱回収用循環手段Ｃｅと、貯湯槽３と集合住宅に含まれる複数の住戸Ｈとにわたる給湯用循環経路１４にて湯水を循環させる給湯用循環手段Ｃｓと、コージェネレーションシステムの各種制御を司る制御部５を設け、並びに、集合住宅に含まれる複数の住戸Ｈ夫々に、給湯用循環手段Ｃｓを通じて供給される湯水を加熱して住戸Ｈにおける各湯水需要部に供給する給湯器Ｋを設けて構成してある。
【００１３】
更に、コージェネレーションシステムには、商用電源６２からの電力を一括して受電する受変電設備６１と、発電機１を商用電源６２と系統連系させる連系装置６３と、受変電設備６１にて受電した交流電力及び発電機１からの交流電力を直流電力に変換する交直変換装置６４と、その交直変換装置６４にて変換された直流電力を蓄電する蓄電部６５と、その蓄電部６５の直流電力を交流電力に変換する直交変換装置６６を設けてある。
そして、直交変換装置６６から出力される交流電力を、集合住宅に含まれる各住戸Ｈ及び集合住宅における共用電力消費機器６７に供給するように給電線６８を配線してある。以下、集合住宅に含まれる複数の住戸Ｈにおける電力消費機器及び集合住宅における共用電力消費機器６７をまとめて外部電力負荷と称する場合がある。
又、受変電設備６１にて受電する電力を計測する一括受電電力計Ｍ６を設け、各住戸Ｈへの給電線６８には、各住戸Ｈにて受電する電力を計測する住戸用電力計Ｍ７を設けてある。
【００１４】
発電機１は、発電機用ガス供給路６を通じて供給される都市ガスを燃料とするガスエンジン（図示省略）を備えて、そのガスエンジンにて駆動する回転式に構成してある。図中のＭ１は、発電機用ガス供給路６に設けた共用部ガス流量計であり、発電機１におけるガス消費量が計測される。
そして、ガスエンジンを冷却するエンジン冷却水が、冷却水循環路７にてガスエンジンと排熱回収用熱交換器２とにわたって循環させるように構成してある。図中の８は、冷却水循環路７に設けた冷却水循環ポンプである。
【００１５】
図２にも示すように、貯湯槽３は、槽用給水手段Ｗｂにて給水される低温槽３Ｌと、その低温槽３Ｌからオーバーフロー状態にて湯水が供給される高温槽３Ｈとを備えた開放式に構成し、排熱回収用循環手段Ｃｅは、低温槽３Ｌから湯水を取り出して再び低温槽３Ｌに戻す排熱回収用循環経路１１にて湯水を循環させるように構成し、給湯用循環手段Ｃｓは、給湯用循環経路１４を高温槽３Ｈから湯水を取り出して低温槽３Ｌに戻す循環経路に設定して、そのように設定した給湯用循環経路１４にて湯水を循環させるように構成してある。
【００１６】
図２に基づいて、貯湯槽３について説明を加えると、上部が開口されると共にその開口部を開閉自在な蓋を備えた箱状の槽本体部３ｍの内部を、上縁部が槽本体部３ｍの上部よりも下方に位置する状態で設けた隔壁３ｗにて、２分して、２分した一方を低温槽３Ｌとし、他方を高温槽３Ｈとして、低温槽３Ｌの湯水が隔壁３ｗの上縁部を越えてオーバーフローして、高温槽３Ｈに供給されるように構成してある。
高温槽３Ｈには、高温槽３Ｈの水位を検出する水位検出手段としての水位センサ９を設けてある。
又、低温槽３Ｌの湯水の温度（以下、低温槽温度と称する場合がある）を検出する低温槽温度センサ（低温槽温度検出手段に相当する）１０Ｌと、高温槽３Ｈの湯水の温度（以下、高温槽温度と称する場合がある）を検出する高温槽温度センサ（高温槽温度検出手段に相当する）１０Ｈを設けてある。
【００１７】
図１及び図２に基づいて、排熱回収用循環手段Ｃｅについて説明を加える。
排熱回収用循環手段Ｃｅは、低温槽３Ｌの底部から取り出した湯水を排熱回収用熱交換器２を経由して低温槽３Ｌの上部から戻すように流すべく配管した排熱回収用循環経路１１と、その排熱回収用循環経路１１にて低温槽３Ｌから取り出される湯水量に対して設定比率の量の湯水を高温槽３Ｈの底部から取り出して排熱回収用循環経路１１に供給するように配管した高温槽湯水取り出し路１２と、排熱回収用循環経路１１に設けた排熱回収用循環ポンプ１３を備えて構成してある。
低温槽３Ｌからの湯水取り出し量と高温槽３Ｈからの湯水取り出し量の比率は、低温槽３Ｌの湯水を昇温することができ、高温槽３Ｈの湯水は保温できるような比率に設定してあり、排熱回収用循環経路１１を形成する管及び高温槽湯水取り出し路１２を形成する管夫々の径を調整することにより、低温槽３Ｌからの湯水取り出し量と高温槽３Ｈからの湯水取り出し量が設定比率となるようにしてある。
【００１８】
つまり、低温槽３Ｌ及び高温槽３Ｈ夫々の底部から設定比率で湯水を取り出して、排熱回収用熱交換器２で加熱した後、低温槽３Ｌに戻すことにより、低温槽３Ｌには温度成層が安定して形成される状態で湯水が貯留され、その低温槽３Ｌの上層の温度が安定した高温層の湯水をオーバーフローさせて高温槽３Ｈに供給することにより、高温槽３Ｈには、深さ方向において温度偏差が無い又は小さくなる状態で且つ所定の温度範囲内に保温される状態で、湯水が貯留されるように構成してある。ちなみに、詳細は後述するが、制御部５により、低温槽３Ｌの湯水の温度は例えば６５°Ｃ以下になるように制御される。その場合、高温槽３Ｈの湯水の温度は、例えば、５０〜６０°Ｃの範囲に維持されるようになる。
【００１９】
槽用給水手段Ｗｂは、給水源としての水道と貯湯槽３の低温槽３Ｌとに接続した槽用給水路４と、その槽用給水路４に設けて低温槽３Ｌへの給水を断続する槽用給水路開閉弁Ｖ１とを備えて構成してある。
【００２０】
図１及び図２に基づいて、給湯用循環手段Ｃｓについて説明を加える。
給湯用循環手段Ｃｓには、高温槽３Ｈの底部から取り出した湯水を複数の住戸Ｈを経由して低温槽３Ｌの上部に戻すように流すべく配管した給湯用循環経路１４と、その給湯用循環経路１４における住戸経由箇所よりも上流側に設けた給湯用循環ポンプ１５を備え、給湯用循環経路１４における給湯用循環ポンプ１５の設置箇所よりも上流側に、上流側開閉弁Ｖ２を設け、給湯用循環経路１４における住戸経由箇所よりも下流側に下流側開閉弁Ｖ３を設けてある。
【００２１】
更に、貯湯槽迂回路１６を、給湯用循環経路１４における、上流側開閉弁Ｖ２の設置箇所及び給湯用循環ポンプ１５の設置箇所の両者の間の箇所と、住戸経由箇所及び下流側開閉弁Ｖ３の設置箇所の両者の間の箇所とに接続して、その貯湯槽迂回路１６を通して、貯湯槽３を迂回させる状態で給湯用循環経路１４にて湯水を循環させることができるようにしてある。その貯湯槽迂回路１６には、逆止弁１７と貯湯槽迂回路開閉弁Ｖ４を設けてある。
更に、給水源としての水道に接続した循環用給水路１８を、給湯用循環経路１４における、上流側開閉弁Ｖ２の設置箇所と給湯用循環ポンプ１５の設置箇所との間の箇所に接続して、水道水を給湯用循環経路１４に供給するように構成し、その循環用給水路１８には、循環用給水路開閉弁Ｖ５を設けてある。
つまり、給水源からの水を給湯用循環経路１４に供給する循環用給水手段Ｗｃは、循環用給水路１８と循環用給水路開閉弁Ｖ５にて構成してある。
尚、前述の槽用給水路４及び循環用給水路１８夫々の通水量を合わせた通水量を計測する共用部水道水流量計Ｍ２を設けてある。
【００２２】
つまり、給湯用循環ポンプ１５を作動させ、上流側開閉弁Ｖ２及び下流側開閉弁Ｖ３を開弁し、貯湯槽迂回路開閉弁Ｖ４及び循環用給水路開閉弁Ｖ５を閉弁した状態では、図２に示すように、湯水は、高温槽３Ｈから取り出され、給湯用循環経路１４を流れて低温槽３Ｌに戻る状態、つまり、貯湯槽３の湯水を給湯用循環経路１４にて循環させる通常循環状態となる。
又、給湯用循環ポンプ１５を作動させ、上流側開閉弁Ｖ２及び下流側開閉弁Ｖ３を閉弁し、貯湯槽迂回路開閉弁Ｖ４及び循環用給水路開閉弁Ｖ５を開弁した状態では、図４に示すように、給湯用循環経路１４を通じての貯湯槽３の湯水の循環が停止されて循環用給水路１８を通じて給湯用循環経路１４に水道水が供給される状態、つまり、貯湯槽３の湯水の循環を停止させて循環用給水手段Ｗｃにて給湯用循環経路１４に給水する給水状態となる。
つまり、給湯用循環手段Ｃｓは、通常循環状態と給水状態とに切り換え自在なように構成してある。
又、給湯用循環手段Ｃｓは、給水状態においては、循環用給水路１８を通じて供給される水道水を、貯湯槽迂回路１６を通して給湯用循環経路１４にて循環させるように構成してある。
【００２３】
図１に示すように、各住戸Ｈに対して、給湯用循環経路１４を流れる湯水を供給する住戸用湯水供給路１９、都市ガスを供給する住戸用ガス供給路２０、水道水を供給する住戸用給水路２１を設け、住戸用湯水供給路１９には給湯用循環手段Ｃｓにて供給される湯水の流量を計測する湯水流量計Ｍ３を設け、住戸用ガス供給路２０には住戸用ガス流量計Ｍ４を設け、住戸用給水路２１には住戸用水道水流量計Ｍ５を設けてある。
住戸用湯水供給路１９は、給湯器Ｋに接続し、住戸用給水路２１は、給湯器Ｋ及び洗面所や台所の給水栓等の水消費部に接続し、住戸用ガス供給路２０は、給湯器Ｋ及びガスコンロ等のガス消費部に接続してある。
【００２４】
次に、制御部５の制御動作を説明する。
先ず、発電機１及び商用電源６２により住戸Ｈ及び共用電力消費機器６７に給電する給電制御について説明する。
【００２５】
制御部５は、１日に対して予め定められた時間帯（例えば、電力需要の多い時間帯として定めた１４時から２４時までの１０時間）で発電機１を運転し、その他の時間帯は発電機１を停止させるように、発電機１を毎日自動運転する。
【００２６】
そして、発電機１の運転中は、外部電力負荷に対して発電機１及び蓄電部６５から給電され、外部電力負荷に対して発電機１の出力が余るときは、その余剰電力が蓄電部６５に蓄電される状態となり、制御部５は、そのように発電機１の運転中は、外部電力負荷に対して発電機１及び蓄電部６５の出力が不足する場合には、その不足分が商用電源６２にて補われるように連系装置６３を制御する。
又、発電機１の停止中は、外部電力負荷に対して蓄電部６５から給電される状態となり、制御部５は、そのように発電機１の停止中は、外部電力負荷に対して蓄電部６５の出力が不足する場合には、その不足分が商用電源６２にて補われるように連系装置６３を制御する。
【００２７】
更に、制御部５は、商用電源６２からの供給電力が深夜電力となる時間帯においては、蓄電部６５の蓄電容量を監視して、蓄電部６５の蓄電容量が設定上限値となるように、蓄電部６５への蓄電を制御する。ちなみに、蓄電部６５の蓄電容量の監視は、蓄電部６５の電圧等に基づいて、制御部５に内蔵の蓄電容量演算部にて蓄電部６５の蓄電容量を演算して行うことになる。
つまり、蓄電部６５には、発電機１における外部電力負荷に対する余剰電力、及び、商用電源６２の深夜電力が蓄電されることになる。
【００２８】
次に、貯湯槽３の湯水を複数の住戸Ｈに供給する給湯制御について、図２ないし図６に基づいて説明する。
制御部５には、水位センサ９、低温槽温度センサ１０Ｌ及び高温槽温度センサ１０Ｈ夫々の検出情報が入力され、冷却水循環ポンプ８、排熱回収用循環ポンプ１３及び給湯用循環ポンプ１５夫々の発停制御、槽用給水路開閉弁Ｖ１、上流側開閉弁Ｖ２、下流側開閉弁Ｖ３、貯湯槽迂回路開閉弁Ｖ４及び循環用給水路開閉弁Ｖ５夫々の開閉制御を行うように構成してある。
又、制御部５には、設定上限温度及び設定下限温度（設定温度に相当する）を予め設定して記憶させてある。ちなみに、設定上限温度としては、排熱回収用熱交換器２において貯湯槽３からの湯水にて発電機１のガスエンジンの冷却水を冷却できてガスエンジンの過熱を防止できるように、貯湯槽３の低温槽３Ｌに貯留される湯水の温度の上限値として設定するものであり、例えば６５°Ｃに設定する。
又、湯は温度が低くなると水質を維持し難いので、設定下限温度としては、各住戸Ｈに供給される湯の水質を維持できるように、貯湯槽３の高温槽３Ｈに貯留される湯水の温度の下限値として設定するものであり、例えば５０°Ｃに設定する。
【００２９】
そして、制御部５は、低温槽温度センサ１０Ｌにて検出される低温槽温度及び高温槽温度センサ１０Ｈにて検出される高温槽温度に基づいて、低温槽温度が設定上限値よりも低く且つ高温槽温度が設定下限値よりも高いときは、排熱回収用循環ポンプ１３を作動させて排熱回収用循環手段Ｃｅを湯水循環作動させ且つ給湯用循環手段Ｃｓを通常循環状態にする通常運転制御を実行し、低温槽温度が設定上限値以上で且つ高温槽温度が設定下限値よりも高いときは、排熱回収用循環ポンプ１３を停止させて排熱回収用循環手段Ｃｅの湯水循環作動を停止させ且つ給湯用循環手段Ｃｓを通常循環状態にする排熱回収停止運転制御を実行し、低温槽温度が設定上限値よりも低く且つ高温槽温度が設定下限値以下のときは、排熱回収用循環手段Ｃｅを湯水循環作動させ且つ給湯用循環手段Ｃｓを給水状態にする給水循環運転制御を実行する。
制御部５は、通常運転制御、排熱回収停止運転制御及び給水循環運転制御夫々の運転制御の実行中は、水位センサ９の検出水位に基づいて、高温槽３Ｈの水位が設定水位になるように、槽用給水路開閉弁Ｖ１を開閉制御する。
【００３０】
つまり、制御部５は、高温槽温度センサ１０Ｈにて貯湯槽３の湯水の温度として検出される高温槽温度に基づいて、高温槽温度が設定下限値よりも高くなると、給湯用循環手段Ｃｓを通常循環状態に切り換え、高温槽温度が設定下限値以下になると、給湯用循環手段Ｃｓを給水状態に切り換えるように構成してあり、制御部５を用いて、切換制御手段を構成してある。
又、制御部５は、給水循環運転制御において給湯用循環手段Ｃｓを給水状態にするときは、排熱回収用循環手段Ｃｅを湯水循環作動させるように構成してある。
【００３１】
又、制御部５は、発電機１の運転を停止させている時間帯においては、低温槽温度センサ１０Ｌ及び高温槽温度センサ１０Ｈの検出情報に関係なく、排熱回収用循環手段Ｃｅの湯水循環作動を停止させ且つ給湯用循環手段Ｃｓを通常循環状態とする発電機停止時運転制御を実行する。
制御部５は、発電機停止時運転制御の実行中は、水位センサ９の検出水位に基づいて、高温槽３Ｈの水位が設定水位になるように、槽用給水路開閉弁Ｖ１を開閉制御する。
【００３２】
又、制御部５は、操作部２２から点検用運転制御の実行が指示されると、低温槽温度センサ１０Ｌ及び高温槽温度センサ１０Ｈの検出情報に関係なく、排熱回収用循環手段Ｃｅの湯水循環作動を停止させ且つ給湯用循環手段Ｃｓを給水状態にする点検用運転制御を実行する。
【００３３】
以下、図２ないし図６に基づいて、各運転制御おける制御部５の制御動作について説明を加える。尚、図２ないし図６では、上流側開閉弁Ｖ２、下流側開閉弁Ｖ３、貯湯槽迂回路開閉弁Ｖ４及び循環用給水路開閉弁Ｖ５夫々の開閉弁において、開弁状態を白抜き状態にて、閉弁状態を塗りつぶし状態にて示す。
【００３４】
図２に示すように、通常運転制御においては、冷却水循環ポンプ８、排熱回収用循環ポンプ１３及び給湯用循環ポンプ１５を作動させ、上流側開閉弁Ｖ２及び下流側開閉弁Ｖ３を開弁し、貯湯槽迂回路開閉弁Ｖ４及び循環用給水路開閉弁Ｖ５を閉弁する。つまり、排熱回収用循環手段Ｃｅは湯水循環作動され、給湯用循環手段Ｃｓは通常循環状態に切り換えられる。
すると、エンジン冷却水は排熱回収用熱交換器２を通って循環し、貯湯槽３の湯水は、排熱回収用循環経路１１にて、低温槽３Ｌ及び高温槽３Ｈから設定比率で取り出されて排熱回収用熱交換器２を通って低温槽３Ｌの上部から戻るように循環し、給湯用循環経路１４にて、高温槽３Ｈから取り出されて複数の住戸Ｈを巡って低温槽３Ｌの上部に戻るように循環する。
つまり、低温槽３Ｌ及び高温槽３Ｈから設定比率で取り出された湯水が排熱回収用熱交換器２におけるエンジン冷却水との熱交換作用にて加熱されて、低温槽３Ｌに戻されることにより、低温槽３Ｌの湯水が加熱され、その低温槽３Ｌの上層の温度が安定した高温層の湯水がオーバーフローして高温槽３Ｈに供給されるので、高温槽３Ｈには深さ方向において温度偏差が無い又は小さくなる状態で且つ所定の温度範囲内に保温される状態で湯水が貯留され、その高温槽３Ｈから取り出された湯水が複数の住戸Ｈにわたって循環して、そのように循環する湯水が各住戸Ｈで消費されることになる。
つまり、高温層３Ｈからの湯水の取り出し温度が安定するので、各住戸Ｈに対する湯水の供給温度が安定する。
【００３５】
図３に示すように、排熱回収停止運転制御においては、冷却水循環ポンプ８及び給湯用循環ポンプ１５を作動させ、排熱回収用循環ポンプ１３を停止させ、上流側開閉弁Ｖ２及び下流側開閉弁Ｖ３を開弁し、貯湯槽迂回路開閉弁Ｖ４及び循環用給水路開閉弁Ｖ５を閉弁する。つまり、排熱回収用循環手段Ｃｅの湯水循環作動が停止され、給湯用循環手段Ｃｓは通常循環状態に切り換えられる。
すると、エンジン冷却水は排熱回収用熱交換器２を通って循環するが、排熱回収用循環ポンプ１３が停止しているので、排熱回収用循環経路１１を通じての排熱回収用熱交換器２を通る貯湯槽３の湯水の循環は停止され、貯湯槽３の湯水は、給湯用循環経路１４にて、高温槽３Ｈから取り出されて複数の住戸Ｈを巡って低温槽３Ｌの上部に戻るように循環する。
従って、高温槽３Ｈの温度が安定した湯水が複数の住戸Ｈにわたって循環して、そのように循環する湯水が各住戸Ｈで消費されることになる。又、貯湯槽３の高温の湯が排熱回収用熱交換器２を流れることがないので、エンジン冷却水が過熱されて発電機１のガスエンジンが過熱するといった不具合を防止することができる。ちなみに、この場合は、エンジン冷却水は、排熱回収用熱交換器２とは別の冷却装置にて冷却されることになる。
高温槽３Ｈの湯水の量が少なくなるのに伴って、水位センサ９にて検出される高温槽３Ｈの水位が設定水位よりも低くなると、槽用給水路開閉弁Ｖ１が開かれて、槽用給水路４を通じて低温槽３Ｌに給水されるので、低温槽３Ｌの湯水の温度が低下することになる。そして、低温槽温度センサ１０Ｌにて検出される低温槽温度が設定上限値よりも低くなることに基づいて、制御部５は通常運転制御を実行する。
【００３６】
図４に示すように、給水循環運転制御においては、冷却水循環ポンプ８、排熱回収用循環ポンプ１３及び給湯用循環ポンプ１５を作動させ、上流側開閉弁Ｖ２及び下流側開閉弁Ｖ３を閉弁し、貯湯槽迂回路開閉弁Ｖ４及び循環用給水路開閉弁Ｖ５を開弁する。つまり、排熱回収用循環手段Ｃｅは湯水循環作動され、給湯用循環手段Ｃｓは給水状態に切り換えられる。
すると、エンジン冷却水は排熱回収用熱交換器２を通って循環し、給湯用循環経路１４を通じての貯湯槽３の湯水の循環が停止されて、貯湯槽３の湯水は、排熱回収用循環経路１１及び高温槽湯水取り出し路１２のみにて循環して、水道からの水道水が貯湯槽３を迂回して貯湯槽迂回路１６を流れる状態で給湯用循環経路１４にて循環する。
つまり、低温槽３Ｌ及び高温槽３Ｈから設定比率で取り出された湯水が排熱回収用熱交換器２におけるエンジン冷却水との熱交換作用にて加熱されて、低温槽３Ｌに戻されることにより、低温槽３Ｌの湯水が加熱され、その低温槽３Ｌの上層の温度が安定した高温槽３Ｈの湯水がオーバーフローして高温槽３Ｈに供給されるので、高温槽３Ｈの湯水が加熱されて昇温する。一方、水道水が複数の住戸Ｈにわたって循環して、そのように循環する水道水が各住戸Ｈで消費されることになる。
【００３７】
従って、高温槽３Ｈの湯水の温度が５０°Ｃよりも高くて水質を維持できるときは、各住戸Ｈには５０°Ｃよりも高くて水質を維持できる高温槽３Ｈの湯が供給され、高温槽３Ｈの湯水の温度が５０°Ｃ以下になって水質を維持し難くなると、給水状態に切り換えられて、各住戸Ｈには水質を維持できる水道水が供給されることになる。
しかも、給水状態においては、給湯用循環経路１４に水道水が供給されるので、水道水中に含まれる塩素の殺菌作用により、水質を一段と維持することができる。
給水循環運転制御の実行中に、高温槽３Ｈの湯水の温度が上昇して、高温槽温度センサ１０Ｈにて検出される高温槽温度が設定下限値よりも高くなることに基づいて、制御部５は通常運転制御を実行する。
【００３８】
図５に示すように、発電機停止時運転制御においては、冷却水循環ポンプ８及び排熱回収用循環ポンプ１３を停止させ、給湯用循環ポンプ１５を作動させ、上流側開閉弁Ｖ２及び下流側開閉弁Ｖ３を開弁し、貯湯槽迂回路開閉弁Ｖ４及び循環用給水路開閉弁Ｖ５を閉弁する。つまり、排熱回収用循環手段Ｃｅの湯水循環作動が停止され、給湯用循環手段Ｃｓは通常循環状態に切り換えられる。
すると、エンジン冷却水の循環は停止し、排熱回収用循環経路１１を通じての貯湯槽３の湯水の循環は停止し、貯湯槽３の湯水は給湯用循環経路１４にて循環する。
そして、高温槽３Ｈの湯水が複数の住戸Ｈにわたって循環して、そのように循環する湯水が各住戸Ｈで消費されることになる。
従って、発電機１の停止時も、継続して各住戸Ｈに湯水が供給される。
【００３９】
図６に示すように、点検用運転制御においては、冷却水循環ポンプ８及び排熱回収用循環ポンプ１３を停止させ、給湯用循環ポンプ１５を作動させ、上流側開閉弁Ｖ２及び下流側開閉弁Ｖ３を閉弁し、貯湯槽迂回路開閉弁Ｖ４及び循環用給水路開閉弁Ｖ５を開弁する。つまり、排熱回収用循環手段Ｃｅの湯水循環作動が停止され、給湯用循環手段Ｃｓは給水状態に切り換えられる。
すると、エンジン冷却水の循環は停止し、貯湯槽３の湯水の循環も停止し、水道からの水道水が貯湯槽３を迂回する状態で給湯用循環経路１４にて循環する。
つまり、水道水が複数の住戸Ｈにわたって循環し、そのように循環する水道水が各住戸Ｈで消費されることになる。
従って、貯湯槽３を点検する間も、継続して各住戸Ｈに湯水が供給される。
【００４０】
次に、図７に基づいて、各住戸Ｈに設ける給湯器Ｋについて説明する。
給湯器Ｋは、住戸用湯水供給路１９から供給される湯水と住戸用給水路２１から供給される水とを混合する混合部Ｋｍと、その混合部Ｋｍから湯水が加熱対象として供給される加熱部Ｋｈと、給湯目標温度を設定する給湯温度設定部等を備えたリモコン操作部３１を備えて構成してある。
【００４１】
加熱部Ｋｈは、混合部Ｋｍから給水路３２を通じて供給される湯水を加熱して、加熱後の湯水を給湯路３３に供給する給湯用熱交換器３４と、追焚用循環路３５を通流する浴槽（図示省略）の湯水を加熱する追焚用熱交換器３６と、それら給湯用熱交換器３４及び追焚用熱交換器３６を加熱するガスバーナ３７と、加熱部Ｋｈの作動を制御する加熱制御部３８等を備えて構成してある。
【００４２】
ガスバーナ３７には、住戸用ガス供給路２０を接続し、その住戸用ガス供給路２０には、ガス供給を断続するガス断続弁３９、及び、ガス供給量を調整するガス比例弁４０を設けてある。
【００４３】
給水路３２には、供給される湯水の温度を検出する給水温度センサ４１、供給される湯水の流量を検出する給水量センサ４２を設け、給水路３２と給湯路３３とを給水バイパス路４３にて接続してある。
給湯路３３には、上流側から順に、給湯用熱交換器３４からの湯水と給水バイパス路４３からの水との混合比を調整するミキシング弁４５、湯水の量を調整する水比例弁５０と、ミキシング弁４５にて混合された湯水の温度を検出する給湯温度センサ４４を設け、給湯路３３の先端には、給湯栓４９を接続してある。
給湯路３３から分岐した湯張り路４６を追焚用循環路３５における往路部分に接続し、湯張り路４６には湯張り用開閉弁４７を設けてある。
又、追焚用循環路３５における復路部分には、浴槽水を循環させる浴槽用循環ポンプ４８を設けてある。
【００４４】
混合部Ｋｍは、住戸用湯水供給路１９（即ち、給湯用循環手段Ｃｓ）から供給される湯水と住戸用給水路２１から供給される水との混合比を調整するミキシング弁５１と、住戸用湯水供給路１９からミキシング弁５１への湯水供給を断続する湯水供給路開閉弁５２と、住戸用湯水供給路１９からミキシング弁５１へ供給される湯水の温度（以下、循環湯水温度と称する場合がある）を検出する循環湯水温度センサ５３と、住戸用給水路２１からミキシング弁５１へ供給される水の温度（混合部給水温度と称する場合がある）を検出する給水温度センサ５４と、ミキシング弁５１から流出した湯水の温度（以下、混合湯水温度と称する場合がある）を検出する混合温度センサ５５と、混合部Ｋｍの作動を制御する混合制御部５６等を備えて構成してある。
【００４５】
次に、加熱制御部３８及び混合制御部５６の制御動作について説明する。
加熱制御部３８は、リモコン操作部３１及び混合制御部５６夫々との間で各種の制御情報を通信するように構成してある。
リモコン操作部３１の運転スイッチがオンされると、加熱制御部３８及び混合制御部５６夫々の制御が可能で、湯水供給路開閉弁５２が開かれた運転状態となる。
そして、給湯栓４９が開かれて、給水量センサ４２の検出湯水流量が設定量以上になると、加熱制御部３８は、混合制御部５６に対して、リモコン操作部３１にて設定された給湯目標温度を送信し、混合制御部５６は、循環湯水温度センサ５３にて検出された循環湯水温度と加熱制御部３８から送られてきた給湯目標温度とを比較して、循環湯水温度が給湯目標温度以上のときはその旨を、循環湯水温度が給湯目標温度より低いときはその旨をそれぞれ加熱制御部３８に送信する。
【００４６】
又、混合制御部５６には、予め、混合目標温度を設定して記憶させてある。ちなみに、混合目標温度としては低混合目標温度と高混合目標温度との２種類を設定してあり、低混合目標温度は、リモコン操作部３１で設定される給湯目標温度が予め設定してある通常給湯目標温度範囲（例えば３５〜４８°Ｃ）のときに対応するものであり、例えば３０°Ｃに設定し、高混合目標温度は、リモコン操作部３１で設定される給湯目標温度が予め設定してある高温給湯目標温度（例えば６０°Ｃ）のときに対応するものであり、例えば、４５°Ｃに設定する。
【００４７】
給湯栓４９が開かれて給水量センサ４２の検出湯水流量が設定量以上になることに基づいて、加熱制御部３８から給湯目標温度が送信されてくると、混合制御部５６は、循環湯水温度センサ５３にて検出される循環湯水温度と給湯目標温度とを比較して、循環湯水温度が給湯目標温度以上のときは、循環湯水温度センサ５３、給水温度センサ５４及び混合温度センサ５５夫々の検出温度に基づいて、混合温度センサ５５にて検出される混合湯水温度が給湯目標温度になるようにミキシング弁５１を調整して、住戸用湯水供給路１９からの湯水と住戸用給水路２１からの水を混合し、且つ、循環湯水温度が給湯目標温度以上である旨を加熱制御部３８に送信する。
加熱制御部３８は、循環湯水温度が給湯目標温度以上である旨が混合制御部５６から送信されてくると、ガスバーナ３７を燃焼停止状態とする。
従って、混合部Ｋｍから加熱部Ｋｈに供給された湯水は加熱部Ｋｈにて加熱されずに給湯栓４９から出湯することになり、給湯栓４９からは給湯目標温度又は略給湯目標温度の湯水が出湯する。
【００４８】
一方、循環湯水温度が給湯目標温度よりも低いときは、循環湯水温度センサ５３、給水温度センサ５４及び混合温度センサ５５夫々の検出温度に基づいて、混合温度センサ５５にて検出される混合湯水温度が、給湯目標温度が通常給湯目標温度範囲のときは低混合目標温度になるように、あるいは、給湯目標温度が高温給湯目標温度のときは高混合目標温度になるように、ミキシング弁５１を調整して、住戸用湯水供給路１９からの湯水と住戸用給水路２１からの水を混合し、且つ、循環湯水温度が給湯目標温度よりも低い旨を加熱制御部３８に送信する。
加熱制御部３８は、混合制御部５６から循環湯水温度が給湯目標温度よりも低い旨が送信されてくると、ガスバーナ３７を燃焼させ、給湯目標温度、給水温度センサ４１の検出温度及び給水量センサ４２の検出給水量に基づいて、給湯用熱交換器３４から流出する湯水の温度が給湯目標温度になるように、ガス比例弁４０の開度及びミキシング弁４５の開度を調節するフィードフォワード制御を実行し、且つ、給湯温度センサ４４の検出温度と給湯目標温度との偏差に基づいてガス比例弁４０の開度を微調整するフィードバック制御を実行する。
従って、給湯栓４９からは給湯目標温度の湯水が出湯することになる。
【００４９】
つまり、加熱制御部３８及び混合制御部５６にて給湯器制御部を構成するとすると、給湯器Ｋは、給湯用循環手段Ｃｓからの湯水と給水源からの水とを混合すると共にその混合比率が調整自在な混合部Ｋｍと、その混合部Ｋｍから供給される湯水を加熱すると共にその加熱量が調整自在な加熱部Ｋｈと、給湯用循環手段Ｃｓから供給される湯水の温度を検出する循環湯水温度センサ５３と、給水源からの水の温度を検出する給水温度センサ５４と、それら循環湯水温度センサ５３及び給水温度センサ５４夫々の検出温度に基づいて、給湯用循環手段Ｃｓからの湯水の温度が給湯目標温度以上のときは、混合後の湯水の温度が給湯目標温度になるように混合部Ｋｍにおける混合比率を調整し且つ加熱部Ｋｈの加熱作動を停止する給湯器制御部を備えて構成されている。
又、前記給湯器制御部は、給湯用循環手段Ｃｓからの湯水の温度が給湯目標温度よりも低いときは、混合後の湯水の温度が、加熱部Ｋｈの加熱作動による給湯目標温度への温度調節が安定して行えるような加熱対象の湯水の温度として予め設定した混合目標温度になるように混合部Ｋｍにおける混合比率を調整し、且つ、給湯目標温度になるように加熱部Ｋｈの加熱量を調整するように構成されている。
【００５０】
従って、給湯用循環手段Ｃｓからの湯水の温度が給湯目標温度以上のときは、混合部Ｋｍにて、給湯目標温度になるように給湯用循環手段Ｃｓからの湯水と給水源からの水とが混合され、そのように混合された湯水が加熱部Ｋｈにて加熱されずに出湯されるので、給湯目標温度又は略給湯目標温度の湯水が得られる。
又、給湯用循環手段Ｃｓからの湯水の温度が給湯目標温度よりも低いときは、給湯目標温度への温度調節が安定して行えるような混合目標温度になるように、給湯用循環手段Ｃｓからの湯水と給水源からの水とが混合されてから、加熱部Ｋｈにて給湯目標温度になるように加熱されるので、給湯用循環手段Ｃｓからの湯水の温度と給湯目標温度との差が小さいときでも、給湯目標温度又は略給湯目標温度の湯水が得られる。
つまり、ガスバーナ３７の燃焼安定性を確保するために、ガスバーナ３７の燃焼量は所定の最小燃焼量よりも小さくは絞れないようにしてある。従って、前述の如き湯水混合制御、即ち、給湯用循環手段Ｃｓからの湯水と給水源からの水とを混合目標温度になるように混合する制御を行わないときは、給湯用循環手段Ｃｓからの湯水の温度と給湯目標温度との差が小さくて、その差に基づいて求めた燃焼量が最小燃焼量よりも小さいときは、例えば、ガスバーナ３７を最小燃焼量にて燃焼させるようになるので、出湯する湯水の温度を給湯目標温度に調整し難いといった不具合が生じることになる。そこで、前述の如き湯水混合制御を行うことにより、前述の如き不具合が解消されることになる。
【００５１】
要するに、給湯用循環手段Ｃｓにて供給される湯水の温度は、供給対象住戸群における湯水使用量により変動するが、給湯用循環手段Ｃｓにて供給される湯水の温度が給湯目標温度以上のとき及び給湯目標温度よりも低いときのいずれにおいても、各住戸Ｈでは、給湯目標温度又は略給湯目標温度の湯水を得ることができる。
【００５２】
上述のように構成したコージェネレーションシステムでは、各住戸Ｈにおける湯水流量計Ｍ３及び住戸用電力計Ｍ７の検針は、地域又は集合住宅に含まれる複数の住戸Ｈを管理する管理組合が検針して、各住戸Ｈに課金することになる。
【００５３】
〔別実施形態〕
次に別実施形態を説明する。
（イ）  上記の実施形態においては、給湯用循環手段Ｃｓは、給水状態においては、貯湯槽迂回路１６を通して給湯用循環経路１４にて湯水を循環させるように構成する場合について例示したが、これに限定されるものではない。
例えば、給水状態においては、給湯用循環経路１４中の貯湯槽３の湯水を循環用給水路１８からの水道水にて置き換えて、給湯用循環経路１４中に水道水を満たした状態としても良い。この場合は、給湯用循環ポンプ１５を停止させ、上流側開閉弁Ｖ２及び貯湯槽迂回路開閉弁Ｖ４を閉じ且つ下流側開閉弁Ｖ３を開いた状態で、循環用給水路開閉弁Ｖ５を開いて、給湯用循環経路１４内の貯湯槽３の湯水を循環用給水路１８からの水道水の水圧にて押し出して、給湯用循環経路１４中の貯湯槽３の湯水を循環用給水路１８からの水道水にて置き換えた後、下流側開閉弁Ｖ３を閉じることになる。そして、住戸Ｈにて湯水が使用されると、循環用給水路１８から給湯用循環経路１４に水道水が圧送される。
【００５４】
（ロ）  上記の実施形態においては、制御部５を構成するに、給水循環運転制御において給湯用循環手段Ｃｓを給水状態にするときは、排熱回収用循環手段Ｃｅを湯水循環作動させるように構成する場合について例示したが、排熱回収用循環手段Ｃｅの湯水循環作動を停止させるように構成しても良い。
【００５５】
（ハ）  通常運転制御、排熱回収停止運転制御及び給水循環運転制御の各運転制御の切り換えは、上記の実施形態においては、制御部５にて自動的に行わせる場合について例示したが、これに代えて、手動操作にて行うように構成しても良い。
【００５６】
（ニ）  槽用給水手段Ｗｂの具体構成は、上記の実施形態において例示した構成に限定されるものではない。例えば、槽用給水路４を排熱回収用循環経路１１における排熱回収用熱交換器２の設置箇所よりも上流側部分に接続して、排熱回収用循環経路１１を通じて低温槽３Ｌに給水するように構成しても良い。この場合、槽用給水路４を排熱回収用循環経路１１に直接接続して、常時、槽用給水路４が排熱回収用循環経路１１に連通する状態としても良いし、あるいは、槽用給水路４を三方弁を介して排熱回収用循環経路１１に接続して、三方弁により、槽用給水路４を排熱回収用循環経路１１に対して連通させる状態と連通を断つ状態とに切り換えて、低温槽３Ｌへの給水を断続するように構成しても良い。
【００５７】
（ホ）  低温槽３Ｌと高温槽３Ｈとの間の湯水の温度の関係は、供給対象住戸群における湯水使用量の変動、発電機１から供給される排熱量の変動等に伴い変化するものであり、低温槽３Ｌの湯水の温度が高温槽３Ｈの湯水の温度よりも低い場合が多いが、低温槽３Ｌの湯水の温度が高温槽３Ｈの湯水の温度以上になる場合もある。
【００５８】
（ヘ）  貯湯槽３の具体構成は、上記の実施形態において例示した如き低温槽３Ｌと高温槽３Ｈとを備えた開放式に限定されるものではなく、例えば、１槽の密閉式（図８に示す構成）や、１槽の開放式にても構成することができる。
【００５９】
（ト）  上記の実施形態においては、給湯器Ｋは、混合部Ｋｍ及び加熱部Ｋｈの両方を備えて構成する場合について例示したが、混合部Ｋｍを省略しても良い。
【００６０】
（チ）  上記の実施形態のように、発電機１をガスエンジン等のエンジンにて駆動されるエンジン駆動の回転式にて構成する場合、排熱回収用熱交換器２に供給する発電機１の排熱としては、上記の実施形態において例示したエンジン冷却水以外に、エンジンの排ガスを供給したり、エンジン冷却水と排ガスの両方を供給したりするように構成しても良い。尚、発電機１をエンジン駆動の回転式にて構成する場合、エンジンとしては、上記の実施形態において例示した都市ガスを燃料とするもの以外に、ＬＰガス、石油、ガソリン等種々の燃料を用いるものを使用することができる。
又、発電機１は、上記の実施形態において例示した如きエンジン駆動の回転式にて構成する以外に、ガスタービンにて駆動するガスタービン駆動の回転式にて構成しても良い。発電機１をガスタービン駆動の回転式にて構成する場合、排熱回収用熱交換器２には発電機１の排熱としてガスタービンの排ガスを供給するように構成する。
又、発電機１としては、上記の如き回転式に限定されるのではなく、例えば、各種の燃料電池にて構成することができる。発電機１を燃料電池にて構成する場合は、排熱回収用熱交換器２には発電機１の排熱として燃料電池の冷却水を供給するように構成する。
【００６１】
（リ）  上記の実施形態においては、１台の貯湯槽３に対して発電機１を１台設ける場合について例示したが、１台の貯湯槽３に対して発電機１を複数台設けても良い。この場合、例えば、複数台の発電機１夫々に排熱回収用熱交換器２を１台ずつ設けて、それら複数の排熱回収用熱交換器２を並列状態にて貯湯槽３に接続する構成を採用することができる。
【図面の簡単な説明】
【図１】コージェネレーションシステムの全体構成を示すブロック図
【図２】コージェネレーションシステムにおける通常運転制御での湯水流動状態を示すブロック図
【図３】コージェネレーションシステムにおける排熱回収停止運転制御での湯水流動状態を示すブロック図
【図４】コージェネレーションシステムにおける給水循環運転制御での湯水流動状態を示すブロック図
【図５】コージェネレーションシステムにおける発電機停止時運転制御での湯水流動状態を示すブロック図
【図６】コージェネレーションシステムにおける点検用運転制御での湯水流動状態を示すブロック図
【図７】コージェネレーションシステムの給湯器の構成を示すブロック図
【図８】従来のコージェネレーションシステムのブロック図
【符号の説明】
１    発電機
２    排熱回収用熱交換器
３    貯湯槽
５    切換制御手段
１４  給湯用循環経路
１６  貯湯槽迂回路
Ｃｅ  排熱回収用循環手段
Ｃｓ  給湯用循環手段
Ｈ    住戸
Ｋ    給湯器
Ｗｂ  槽用給水手段
Ｗｃ  循環用給水手段
【図１】
0004454190.tif 000002
【図２】
0004454190.tif 000003
【図３】
0004454190.tif 000004
【図４】
0004454190.tif 000005
【図５】
0004454190.tif 000006
【図６】
0004454190.tif 000007
【図７】
0004454190.tif 000008
【図８】
0004454190.tif 000009